(57)【要約】【課題】アンテナ部が無指向性で薄型の電波修正時計を提供する。【解決手段】コアアンテナ１１０１ａで形成された第１のアンテナ部１１０１と、コアレスのループアンテナ１１０２ａで形成された、第１のアンテナ部１１０１と指向性が異なる第２のアンテナ部１１０２と、第１のアンテナ部１１０１および第２のアンテナ部１１０２が受信した標準時刻電波信号に基づいて時刻修正を行う制御回路１４と、内部時計１４０１と、複数の基準位置が設けられた指針車を駆動する指針駆動系と、指針車の基準位置を検出する基準位置検出手段としての光検出センサ１４０とを設け、第１のアンテナ部１１０１および第２のアンテナ部１１０２が、第１のアンテナ部１１０１および第２のアンテナ部１１０２それぞれの指向性が合成されて無指向性となるように配置する。【選択図】  図１
2004354305.tif 000002
【特許請求の範囲】
【請求項１】
標準時刻電波信号に応じて時刻修正を行う電波修正時計であって、
コアアンテナで形成された第１のアンテナ部と、
コアレスのアンテナで形成された、前記第１のアンテナ部と指向性が異なる第２のアンテナ部と、
前記第１および第２のアンテナ部が受信した前記標準時刻電波信号に基づいて時刻修正を行う制御手段とを有し、
前記第１および第２のアンテナ部は、前記第１および第２のアンテナ部それぞれの指向性が合成されて無指向性となるように配置されている
電波修正時計。
【請求項２】
前記第２のアンテナ部は、少なくとも前記第１のアンテナ部の指向性と直交する指向性を有するコアレスのアンテナで形成されている
請求項１に記載の電波修正時計。
【請求項３】
前記第１のアンテナ部は、フェライトコアアンテナで形成され、
前記第２のアンテナ部は、コアレスのループアンテナで形成されている
請求項１または２記載の電波修正時計。
【請求項４】
前記第２のアンテナ部は、時計外周部に形成され、
前記第１のアンテナ部は、前記第２のアンテナ部が形成された前記時計外周部よりも内部に形成されている
請求項１〜３のいずれかに記載の電波修正時計。
【請求項５】
前記第２のアンテナ部は、前記第１のアンテナ部のコアアンテナのコア部の厚さよりも薄く形成されている
請求項１〜４のいずれかに記載の電波修正時計。
【請求項６】
前記制御手段は、前記標準時刻電波信号の受信状態のよい方の前記第１のアンテナ部または第２のアンテナ部で受信された当該標準時刻電波信号に基づいて時刻修正を行う
請求項１〜５のいずれかに記載の電波修正時計。
【請求項７】
内部時計と、
複数の基準位置が設けられた指針車を駆動する指針駆動系と、
前記指針車の前記基準位置を検出する基準位置検出手段とを有し、
前記制御手段は、前記指針駆動系を駆動して前記基準位置検出手段の検出処理に基づいて前記指針車の前記基準位置を検出した後、前記第１のアンテナ部および第２のアンテナ部が受信した前記標準時刻電波信号に基づいて内部時計の計時時刻を修正し、前記内部時計の計時時刻に基づいて前記指針車の指針位置を設定する
請求項１〜６のいずれかに記載の電波修正時計。
【発明の詳細な説明】
【０００１】
【発明の属する技術分野】
本発明は、例えば、フェライトコアアンテナとループアンテナの２つのアンテナ部を有し、アンテナ部で受信された標準時刻電波信号に基づいて時刻修正を行う電波修正時計に関するものである。
【０００２】
【従来の技術】
例えば、福島県田村郡都路村と双葉郡川内村の郡境にある大鷹谷山の標準電波送信局から周波数４０ｋＨｚの標準電波、九州の福岡県と佐賀県の県境に位置する羽金山の標準電波送信局から周波数６０ｋＨｚの標準電波が送信されている。この標準電波は、時刻コード、累積コード、曜日コード、および年コード等を含む標準時刻コードを含む。
この標準電波に含まれる標準時刻コード（標準時刻信号とも言う）に基づいて、指針による時刻表示を修正する電波修正時計が知られている。
【０００３】
従来の電波修正時計では、標準電波を受信するアンテナとしてコア付きのフェライトコアアンテナが用いられてきた。このフェライトコアアンテナは指向性があり標準電波の受信方向を定める必要がある。
【０００４】
この指向性のため受信方向を定めるという煩雑な操作を行うという不便さを解消するために、２つのフェライトコアアンテナを互いに直角配置して無指向性のアンテナ部を設けた電波修正時計が知られている（例えば、特許文献１参照。）
【０００５】
【特許文献１】
特開２００１−２７２４８２号公報（第３−４図）
【０００６】
【発明が解決しようとする課題】
しかし、上述した電波修正時計では、２つのフェライトコアアンテナを互いに直角配置しているために、アンテナ部の厚みが大きくなり、薄型化が困難であるという問題点がある。
【０００７】
本発明は、かかる事情に鑑みてなされたものであり、その目的は、アンテナ部が無指向性で薄型の電波修正時計を提供することにある。
【０００８】
【課題を解決するための手段】
前記目的を達成するために、本発明の観点は、標準時刻電波信号に応じて時刻修正を行う電波修正時計であって、コアアンテナで形成された第１のアンテナ部と、コアレスのアンテナで形成された、前記第１のアンテナ部と指向性が異なる第２のアンテナ部と、前記第１および第２のアンテナ部が受信した前記標準時刻電波信号に基づいて時刻修正を行う制御手段とを有し、前記第１および第２のアンテナ部は、前記第１および第２のアンテナ部それぞれの指向性が合成されて無指向性となるように配置されている。
【０００９】
本発明の観点によれば、第１のアンテナ部はコアアンテナで形成されている。第２のアンテナ部はコアレスのアンテナで形成され、第１のアンテナ部と、指向性が異なっている。
制御手段では、第１および第２のアンテナ部で受信した標準時刻電波信号に基づいて時刻修正を行う。
この第１および第２のアンテナ部は、第１および第２のアンテナ部それぞれの指向性が合成されて無指向性となるように配置されている。
【００１０】
【発明の実施の形態】
本発明の実施形態に係る電波修正時計は、コアアンテナとコアレスのアンテナとを有し、コアアンテナとコアレスのアンテナそれぞれは、それぞれの指向性が合成されて無指向性となるように配置されている。
以下、図を参照しながら詳細に説明する。
【００１１】
図１は本発明に係る電波修正時計の一実施形態の電気的な機能ブロック図である。図２は図１に示した電波修正時計の正面図、図３は図１に示した電波修正時計の背面図、図４は図１に示した電波修正時計の構成図、図５は図４に示した電波修正時計の断面の拡大図である。
【００１２】
本実施形態に係る電波修正時計１は、図１〜５に示すように、標準電波受信系１１、時刻修正スイッチ１２、発振回路１３、制御回路１４、ドライブ回路１５、発光素子１６、バッファ回路１７、ドライブ回路１８、ディスプレイ３０、時計本体１００、秒針用モータ１２１、時分針用モータ１３１、光検出センサ部１４０、手動修正系１５０、トランジスタＱ１，Ｑ２、および抵抗素子Ｒ１〜Ｒ４を有する。
制御回路１４は本発明に係る制御手段に相当する。
【００１３】
図２に示すように、時計１正面には、文字盤２０１、指針として秒針２０２、分針２０３および時針２０４、ならびに、ディスプレイ３０が形成されている。また、文字盤２０１の下部には報知手段としての発光素子１６が形成されている。ディスプレイ３０は制御回路１４により内部時計１４０１に応じた計時時刻が表示される。
【００１４】
標準電波受信系１１は、例えば不図示の標準電波送信所から送信された標準時刻情報（時刻コードとも言う）を含む標準電波（標準時刻電波信号とも言う）を受信し、所定の処理を行い、パルス信号Ｓ１１として制御回路１４に出力する。
標準電波受信系１１は、例えば図１に示すように、複数のアンテナ部、例えば第１のアンテナ部１１０１および第２のアンテナ部１１０２、ならびに長波受信回路１１０３を有する。
【００１５】
第１のアンテナ部１１０１は、例えば図１，３に示すように、コアアンテナ１１０１ａ、マッチング部１１０１ｂを有する。
コアアンテナ１１０１ａは、例えばコアＣＡ１１０１ａ付きのフェライトコアアンテナである。
マッチング部１１０１ｂは、例えば不図示のコンデンサ等により構成され、コアアンテナ１１０１ａと接続することにより、標準時刻電波信号の搬送波の周波数と共振する共振回路を形成し、受信した標準時刻電波信号を信号Ｓ１１０１として長波受信回路１１０３に出力する。
【００１６】
第２のアンテナ部１１０２は、例えば図１，３に示すように、コアレスのアンテナ１１０２ａ、マッチング部１１０２ｂを有する。
コアレスのアンテナ１１０２ａは、例えばコアレスのループアンテナ１１０２ａである。
マッチング部１１０２ｂは、例えば不図示のコンデンサ等により構成され、ループアンテナ１１０２ａと接続することにより、標準時刻電波信号の搬送波の周波数と共振する共振回路を形成し、受信した標準時刻電波信号を信号Ｓ１１０２として長波受信回路１１０３に出力する。
【００１７】
長波受信回路１１０３は、例えば、不図示のＲＦアンプ、検波回路、整流回路、および積分回路を有し、第１のアンテナ部１１０１から入力された信号Ｓ１１０１および第２のアンテナ部１１０２から入力された信号Ｓ１１０２に基づいて、増幅処理、検波処理、整流処理、および積分処理等を行い、処理結果を信号Ｓ１１０３として出力する。
【００１８】
ループアンテナ１１０２ａは、例えば図３に示すように、時計１０００の外周部に形成されている。フェライトコアアンテナ１１０１ａは、ループアンテナ１１０２ａが形成された時計１０００外周部よりも内部に形成されている。また、例えばフェライトコアアンテナ１１０１ａは、時計本体１００の上部に形成されている。
また、ループアンテナ１１０２ａは、フェライトコアアンテナ１１０１ａのコア部ＣＡ１１０１ａの厚さよりも薄く形成されている。
【００１９】
コアアンテナ１１０１ａは、コア部ＣＡ１１０１ａの長手方向の長さに応じて感度が大きくなる。
ループアンテナ１１０２ａは、断面積の大きさに応じて感度が大きくなり、例えばコアアンテナ１１０１ａと略同等な受信感度を有する。
【００２０】
図６は、図１に示した電波修正時計のアンテナ部の指向性を説明するための図である。
電波修正時計１を上面から見た場合、コアアンテナ１１０１ａの指向性は、例えば図６に示すように、コアアンテナ１１０１ａの長手方向と直角方向に受信利得ｄｉｒ１１０１Ａ，ｄｉｒ１１０１Ｂが最大であり、長手方向には受信利得が最低である。
【００２１】
また、ループアンテナ１１０２ａの指向性は、例えば図６に示すように、ループアンテナ１１０２ａの長手方向に受信利得ｄｉｒ１１０２Ａ，ｄｉｒ１１０２Ｂが最大であり、長手方向と直角方向には受信利得が最低である。
このように、ループアンテナ１１０２ａの指向性は、第１のアンテナ部１１０１の指向性と異なっており、少なくとも第１のアンテナ部１１０１の指向性と直交する指向性を有する。詳細には、ループアンテナ１１０２ａは、少なくとも第１のアンテナ部１１０１の最大受信利得の方向が直交する成分を含む。
【００２２】
本実施形態では、図３，６に示すように、第１のアンテナ部１１０１および第２のアンテナ部１１０２の指向性が合成されて無指向性となるように配置されている。
また、上述したように第２のアンテナ部１１０２は、少なくとも第１のアンテナ部１１０１の指向性と直交する指向性を有するコアレスのアンテナで形成されている。
【００２３】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波受信系１１で受信される標準電波は、図７（ａ）に示すような形態で送られてくる。
【００２４】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２５】
そして、受信状態が良好な場合には、標準電波受信系１１からは図７（ｂ）に示すように、標準電波信号に応じたパルス信号として信号Ｓ１１が、制御回路１４に出力される。
【００２６】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて受信状態の評価処理を行う。エッジｅｄ１およびエッジｅｄ２を区別しない場合には、単にエッジｅｄという。
【００２７】
次に、長波標準電波の送信データについて説明する。
図８は、標準時刻電波信号の時刻コードの一例を示している。図８（ａ）は毎時１５，４５分以外のフォーマット、図８（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２８】
時刻修正スイッチ１２は、例えば、時刻修正を行う際に操作され、操作に応じて信号Ｓ１２を制御回路１４に出力する。制御回路１４は、時刻修正スイッチ１２から信号Ｓ１２が入力されると、時刻修正を行う。
【００２９】
発振回路１３は、水晶発振器ＣＲＹおよびキャパシタＣ２，Ｃ３により構成され、所定周波数の基本クロックを制御回路１４に供給する。
【００３０】
制御回路１４は、内部時計１４０１、およびメモリ１４０２を有する。
内部時計１４０１は、例えば時カウンタ、分カウンタ、および秒カウンタ等を含む。
【００３１】
メモリ１４０２は、例えば、制御回路１４のワークスペースとして用いられる。例えば、メモリ１４０２はＲＡＭ（Ｒａｎｄｏｍ  ａｃｃｅｓｓ  ｍｅｍｏｒｙ）等で構成される。
【００３２】
制御回路１４は、例えば初期状態、および時刻修正スイッチ１２が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００３３】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００３４】
制御回路１４は、所定の時間、例えば本実施形態では８秒間の標準時刻電波信号のサンプリング（例えば３２Ｈｚ）を行い、そのサンプリングの結果に基づいて受信状態を判定する。
【００３５】
詳細には、制御回路１４は、例えば標準電波受信系１１から入力される信号Ｓ１１のサンプリング（例えば３２Ｈｚ）を行い、エッジｅｄを検出し、そのエッジｅｄの有無や数に基いて受信状態を判定する。
【００３６】
制御回路１４は、その設定された受信周波数で受信された標準電波時刻信号に基づいて、時刻化が可能である場合には、発振回路１３による基本クロックに基づいて内部時計１４０１の各種カウンタのカウント制御を行う。
【００３７】
また、制御回路１４は、例えば第１のアンテナ部１１０１と第２のアンテナ部１１０２のうち一方の受信状態が悪い場合には、受信状態がよい方のアンテナ部、詳細には第１のアンテナ部１１０１または第２のアンテナ部１１０２で受信された標準時刻電波信号に基づいて時刻修正を行う。
【００３８】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００３９】
制御回路１４は、標準電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００４０】
次に、電波修正時計のムーブメントおよび指針位置検出系の具体的な構成について、図４，５、図９〜図１６に関連付けて説明する。
時計本体１００は、図４，５に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００４１】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００４２】
秒針駆動系１２０および時分針駆動系１３０が本発明に係る時刻表示手段に相当する。
【００４３】
第１駆動系１２０は、図４に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｄに大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００４４】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。この第１の５番車１２２には、図９に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００４５】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１２に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００４６】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００４７】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００４８】
秒針車１２３においては、図１１に示すように、複数（１１個）の透孔１２３ｃを設ける代わりに、図１２に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００４９】
第２駆動系１３０は、図４，５、および図１０に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００５０】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００５１】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１４に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００５２】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００５３】
また、分針車１３４には、図１５に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００５４】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００５５】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００５６】
また、時針車１３６には、図１６に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００５７】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００５８】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００５９】
光検出センサ１４０は、図５に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖｃｃの供給ラインに接続され、ベースは抵抗素子Ｒ３を介してドライブ信号ＤＲ２の出力ラインに接続されている。
すなわち、発光素子１４２は、制御回路１４からロウレベルのドライブ信号ＤＲ２が出力されたとき発光するようにドライブ回路１８に接続されている。
【００６０】
また、図５に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００６１】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００６２】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００６３】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００６４】
手動修正系１５０は、図４および図５に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００６５】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００６６】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００６７】
分針車１３４の分針パイプ１３４ｐの先端部および時針車１３６の時針パイプ１３６ｐの先端部には、図１７に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００６８】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００６９】
図１８は、図１に示した電波修正時計の指針位置検出処理の動作を示すフローチャートである。
制御回路１４は、指針駆動系を駆動して基準位置検出手段の検出処理に基づいて指針車の基準位置を検出した後、第１のアンテナ部１１０１および第２のアンテナ部１１０２が受信した標準時刻電波信号に基づいて内部時計１４０１の計時時刻を修正し、内部時計１４０１の計時時刻に基づいて指針車の指針位置を設定する。
図１８を参照しながら指針位置検出処理を説明する。
【００７０】
制御回路１４から時分用パルス信号出力パターンがセットされ（ＳＴ１０１）、ドライブ信号ＤＲ２がドライブ回路１８にロウレベルで出力される。これにより、トランジスタＱ２がオンし、発光素子１４２、すなわち発光ダイオードから検出光が発せられる。
【００７１】
続いて、制御回路１４から制御信号ＣＴＬ１が出力されて秒針用ステッピングモータ１２１がパルス駆動され（ＳＴ１０２）、受光素子１４４すなわちフォトトランジスタがオンし、検出信号ＤＴ１がハイレベル（電源電圧Ｖｃｃレベル）からロウレベルに切り換わったか否かの判別が行われる（ＳＴ１０３）。
【００７２】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖｃｃレベル）からロウレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖｃｃレベル）からロウレベルに切り換わらない場合には、時分針用ステッピングモータ１３１が１ステップ（パルス）駆動され（ＳＴ１０７）、その後再び秒針用ステッピングモータ１２１がステップ駆動され（ＳＴ１０２）て、秒針車１２３が回転駆動される。
【００７３】
一方、ステップＳＴ１０３において、フォトトランジスタによる検出信号ＤＴ１がハイレベルからロウレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【００７４】
一方、得られた出力パターンと記憶された出力パターンとが適合した場合には、その時点（５ステップ目でもフォトトランジスタにより検出信号ＤＴ１のレベルがロウレベルに切り換わらない場合において次にフォトトランジスタの出力がロウレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【００７５】
続いて、制御回路１４から制御信号ＣＴＬ２が出力されて時分針用ステッピングモータ１３１のみが所定の出力周波数でパルス駆動されて分針車１３４が早送りされる（ＳＴ１１１）。
【００７６】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【００７７】
一方、ステップＳＴ１１２の比較の結果、得られた出力パターンと記憶された出力パターンとが適合した場合は、その時点で、制御信号ＣＴＬ２の出力が停止され、時分針用ステッピングモータ１３１が停止されて、分針車１３４および時針車１３６の駆動が停止される（ＳＴ１１３）。
【００７８】
ここで、出力パターンと予め記憶された出力パターンとの比較による時分針車の位置検出処理は、３種類のパターンのいずれかに合わせることにより行われる。
【００７９】
図１９は、図１に示した電波修正時計の検出光の出力パターンを説明するための図である。
すなわち、分針車１３４によるフォトトランジスタの出力パターンは、図１９（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図１９（ｂ）に示すように、遮光部が作用するオフの幅が３種類のＤ部、Ｅ部、Ｃ部が所定間隔をおいて交互に現れるようなパターンとなり、両者を合成した出力パターンは、図１９（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図１９に示すパターンのうちオンとなるパターンの部分は、実際には３番車１３３の遮光部によりオフとなる部分があるので、歯抜け状のパターンとなっている。
【００８０】
また、例えば分針車１３４および時針車１３６の基準位置として、図１９に示すように、０時００分、４時００分、および８時００分の位置に設定されている。
【００８１】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用ステッピングモータ１３１を停止させることで、分針車１３４および時針車１３６すなわち分針および時針を所定の時刻に時刻修正することができる。
【００８２】
そして、時分針用ステッピングモータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【００８３】
また、剣付けモードの際に、時分針車の原点検索処理が短くなるような出荷位置ＴＳ、本実施形態では１０時３０分に設定する場合を図１９を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図１９に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置であることを検出し、Ｂ部およびＡ部を検出した時点で停止させることにより、時分針が所定の基準位置１２時００分に設定される。
【００８４】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【００８５】
以上説明したように、コアアンテナで形成された第１のアンテナ部１１０１と、コアレスのアンテナで形成された、第１のアンテナ部１１０１と指向性が異なるアンテナ部１１０２と、第１のアンテナ部１１０１および第２のアンテナ部１１０２が受信した標準時刻電波信号に基づいて時刻修正を行う制御回路１４と、内部時計１４０１と、複数の基準位置が設けられた指針車を駆動する指針駆動系と、指針車の基準位置を検出する基準位置検出手段としての光検出センサ１４０とを設け、第１のアンテナ部１１０１および第２のアンテナ部１１０２は、第１のアンテナ部１１０１および第２のアンテナ部１１０２それぞれの指向性が合成されて無指向性となるように配置されているので、無指向性で薄型の電波修正時計を提供することができる。
【００８６】
また、従来のコアアンテナを互いに直角配置する電波修正時計と比べて、第２のアンテナ部１１０１は、コアレスのループアンテナ１１０１ａで形成され、第１のアンテナ部１１０１のコアアンテナ１１０１ａのコア部ＣＡ１１０１ａの厚さよりも薄く形成されているので、薄型化が容易である。
【００８７】
第２のアンテナ部１１０２は、時計外周部に形成されているのでループアンテナ１１０２ａのコイルの断面積が大きく、標準時刻電波信号を受信する際に十分な受信利得を得ることができる。
また、第１のアンテナ部１１０１は、第２のアンテナ部１１０２が形成された時計外周部よりも内部に形成されているので小型化することができる。
【００８８】
また、第１のアンテナ部１１０１および第２のアンテナ部１１０２のうち一方のアンテナ部が受信状態が悪い場合には、受信状態のよい方のアンテナ部で受信された標準時刻電波信号に基づいて時刻修正を行うので、受信状態が悪いアンテナ部からの悪影響、例えばノイズ成分等による影響を防止することができ、ノイズ成分の少ない標準時刻電波信号に基づいて高精度に時刻修正を行うことができる。
【００８９】
なお、本発明は本実施形態に限られるものではなく、任意好適な種々の変更が可能である。
本実施系形態では、第２のアンテナ部１１０２のループアンテナ１１０２ａの形状は円形状であったが、この形態に限られるものではない。例えば、ループアンテナ１１０２ａの形状は、標準時刻電波信号を正常に受信するのに十分な受信利得が得られれば所定の形状でよい。
【００９０】
【発明の効果】
本発明によれば、アンテナ部が無指向性で薄型の電波修正時計を提供することができる。
【図面の簡単な説明】
【図１】本発明に係る電波修正時計の一実施形態の電気的な機能ブロック図である。
【図２】図１に示した電波修正時計の正面図である。
【図３】図１に示した電波修正時計の背面図である。
【図４】図１に示した電波修正時計の構成図である。
【図５】図４に示した電波修正時計の断面の拡大図である。
【図６】図１に示した電波修正時計のアンテナ部の指向性を説明するための図である。
【図７】本発明に係る制御回路における電波受信状態を説明するための図である。
【図８】標準時刻電波信号の時刻コードの一例を示している。（ａ）は毎時１５，４５分以外のフォーマット、（ｂ）は毎時１５分，４５分のフォーマットを示す。
【図９】電波修正時計の一部である秒針を駆動する第１駆動系を示す平面図である。
【図１０】電波修正時計の一部である分針および時針を駆動する第２駆動系を示す平面図である。
【図１１】秒針を駆動する第１駆動系の一部をなす第１の５番車を示す平面図である。
【図１２】秒針を駆動する第１駆動系の一部をなす秒針車を示す平面図である。
【図１３】秒針を駆動する第１駆動系の一部をなす秒針車の他の例を示す平面図である。
【図１４】分針および時針を駆動する第２駆動系の一部をなす３番車を示す平面図である。
【図１５】分針および時針を駆動する第２駆動系の一部をなす分針車を示す平面図である。
【図１６】分針および時針を駆動する第２駆動系の一部をなす時針車を示す平面図である。
【図１７】分針パイプおよび時針パイプの先端部を示す端面図である。
【図１８】図１に示した電波修正時計の動作を説明するためのフローチャートである。
【図１９】図１に示した電波修正時計の検出光の出力パターンを説明するための図である。
【符号の説明】
１…電波修正時計、１１…標準電波受信系、１２…時刻修正スイッチ、１３…発振回路、１４…制御回路、１５…ドライブ回路、１６…発光素子、１７…バッファ回路、１００…時計本体、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２２ｃ…透孔、１２３…秒針車（第２検出用歯車、第一指針車）、１２３ｃ…透孔、１２３ｄ…位置決め遮光部、１２３ｅ…付勢ばね、１２３ｆ…切り欠き孔、１２３ｇ…切り欠き孔、１３０…第２駆動系（時分針駆動系）、１３１…時分針用モータ（第２駆動源）、１３２…第２の５番車、１３３ｃ…透孔、１３４…分針車（第４検出用歯車、第２指針車）、１３４ｃ…円弧状透孔、１３４ｄ…円弧状透孔、１３４ｅ…円弧状透孔、１３４ｇ…溝（第１指標）、１３４ｐ…分針パイプ、１３５…日の裏車、１３６…時針車（第５検出用歯車、第２指針車）、１３６ｃ…円弧状透孔、１３６ｄ…円弧状透孔、１３６ｅ…円弧状透孔、１３６ｇ…溝（第２指標）、１３６ｐ…時針パイプ、１４０…光検出センサ、１４２…発光素子、１４３…回路基板、１４４…受光素子、１５０…手動修正系、１５１…手動修正軸、１５１ｂ…頭部、２０１…文字盤、２０２…秒針、２０３…分針、２０４…時針、１１０１…第１のアンテナ部、１１０１ａ…コアアンテナ、１１０１ｂ…マッチング部、１１０２…第２のアンテナ部、１１０２ａ…ループアンテナ、１１０２ｂ…マッチング部、１１０３…長波受信回路、１４０１…内部時計、１４０２…メモリ。
【図１】
2004354305.tif 000003
【図２】
2004354305.tif 000004
【図３】
2004354305.tif 000005
【図４】
2004354305.tif 000006
【図５】
2004354305.tif 000007
【図６】
2004354305.tif 000008
【図７】
2004354305.tif 000009
【図８】
2004354305.tif 000010
【図９】
2004354305.tif 000011
【図１０】
2004354305.tif 000012
【図１１】
2004354305.tif 000013
【図１２】
2004354305.tif 000014
【図１３】
2004354305.tif 000015
【図１４】
2004354305.tif 000016
【図１５】
2004354305.tif 000017
【図１６】
2004354305.tif 000018
【図１７】
2004354305.tif 000019
【図１８】
2004354305.tif 000020
【図１９】
2004354305.tif 000021